(57)【要約】【課題】停電して暗闇となった状態で便利に使用する。スイッチによるデザインの制約がなく、また、スイッチを設けることでランプシェードにリード線などの陰影が起こらないようにする。充電台に載せて内蔵する電池を充電する構造としながら、接触不良を解消して常に電池を充電して非常時には確実に点灯させて便利に使用する。【解決手段】ランプは、光源１０を内蔵している。ランプは、電源ユニット２と、この電源ユニット２に連結してなるランプシェード３とを備えている。電源ユニット２は、光源１０と、この光源１０に接続されて点灯する電池１３と、光源１０の点滅を制御するスイッチ１５とを備えている。電源ユニット２は、スイッチ１５を底面２Ａに配置しており、ランプが押されてスイッチ１５がオンオフに制御されて光源１０の点灯状態をコントロールしている。【選択図】図３
2010177144.tif 000002
【特許請求の範囲】
【請求項１】
光源(10)を内蔵するランプであって、
電源ユニット(2)とこの電源ユニット(2)に連結してなるランプシェード(3)とを備え、前記電源ユニット(2)は、光源(10)と、この光源(10)に接続されて点灯する電池(13)と、前記光源(10)の点滅を制御するスイッチ(15)とを備えており、
前記電源ユニット(2)が前記スイッチ(15)を底面(2A)に配置しており、ランプが押されてスイッチ(15)がオンオフに制御されて光源(10)の点灯状態をコントロールするようにしてなるランプ。
【請求項２】
前記スイッチ(15)が、前記電源ユニット(2)の底部中央に上下に往復運動できるように配置され、かつ中心から上方に伸びるプッシュロッド(17A)を有する上下台(17)と、この上下台(17)を弾性的に下方に押している弾性体(18)と、プッシュロッド(17A)の上方に配置してなるスイッチ本体(16)とを備え、ランプが下方に押される状態で、プッシュロッド(17A)がスイッチ本体(16)を押してオンオフの状態を切り換えるようにしてなる請求項１に記載されるランプ。
【請求項３】
前記電源ユニット(2)が内部に回路基板(14)を固定しており、この回路基板(14)の下面に前記スイッチ本体(16)を固定している請求項２に記載されるランプ。
【請求項４】
前記電源ユニット(2)が、前記上下台(17)のプッシュロッド(17A)をガイドするガイド筒(22A)を有し、このガイド筒(22A)に上下に移動できるようにプッシュロッド(17A)を挿入して上下台(17)を電源ユニット(2)の定位置に配置している請求項２に記載されるランプ。
【請求項５】
前記弾性体(18)が、前記プッシュロッド(17A)の上端を弾性的に下方に押圧してなる弾性プレートである請求項２に記載されるランプ。
【請求項６】
前記ランプシェード(3)が、上方に伸びる発光筒部(31A)及びこの発光筒部(31A)の下端に連結されて電源ユニット(2)の上部をカバーする電源カバー部(31B)からなるトップケース(31)と、このトップケース(31)の下端に連結してなる底ケース(32)とを有し、
前記トップケース(31)は、発光筒部(31A)と電源カバー部(31B)とが透光性のプラスチックで一体的に成形されると共に、互いに連結される電源カバー部(31B)と底ケース(32)は、発光筒部(31A)よりも大きな外形で中空状として、さらに、底ケース(32)の下端縁に電源ユニット(2)を連結しており、
前記ランプシェード(3)の発光筒部(31A)を電源ユニット(2)で垂直姿勢に自立させるようにしてなる請求項１に記載されるランプ。
【請求項７】
前記ランプシェード(3)の発光筒部(31A)の内側に、発光筒部(31A)を均一に発光させるライトガイドロッド(35)を配設している請求項６に記載されるランプ。
【請求項８】
前記電源ユニット(2)がランプシェード(3)に光を照射するランタン光源(11)と、電源ユニット(2)の底面(2A)を照射するライト光源(12)とを有する請求項１に記載されるランプ。
【請求項９】
前記電源ユニット(2)が、ランプの傾斜を検出する傾斜センサ(46)を備え、傾斜センサ(46)がランプの傾斜を検出してライト光源(12)を点灯する請求項８に記載されるランプ。
【請求項１０】
前記電源ユニット(2)のスイッチ(15)が、ランタン光源(11)の点灯状態を制御する請求項８に記載されるランプ。
【請求項１１】
前記電源ユニット(2)が、脱着自在にランプシェード(3)に連結されると共に、電池(13)が単３電池で、この電池(13)を前記電源ユニット(2)に脱着できるようにセットしてなる請求項１に記載されるランプ。
【請求項１２】
光源(10)を内蔵するランプ(1)と、このランプ(1)の充電台(5)とを備えるランプ装置であって、
前記ランプ(1)は、電源ユニット(2)とこの電源ユニット(2)に連結してなるランプシェード(3)とを備え、電源ユニット(2)は、光源(10)と、この光源(10)に接続されて点灯する充電できる電池(13)と、この電池(13)を充電する充電回路(41)と、この充電回路(41)に電力を供給する受電コイル(42)と、前記光源(10)の点滅を制御するスイッチ(15)とを備えており、
前記充電台(5)は、前記ランプ(1)の受電コイル(42)に電磁結合されて受電コイル(42)に電力搬送する送電コイル(52)とこの送電コイル(52)に交流を出力する電源回路(51)とを内蔵しており、
前記電源ユニット(2)が前記スイッチ(15)を底面(2A)に配置しており、ランプ(1)が押されてスイッチ(15)がオンオフに制御されて光源(10)の点灯状態をコントロールするようにしてなるランプ装置。
【請求項１３】
前記スイッチ(15)が、前記電源ユニット(2)の底部中央に上下に往復運動できるように配置され、かつ中心から上方に伸びるプッシュロッド(17A)を有する上下台(17)と、この上下台(17)を弾性的に下方に押している弾性体(18)と、プッシュロッド(17A)の上方に配置してなるスイッチ本体(16)とを備え、ランプ(1)が下方に押される状態で、プッシュロッド(17A)がスイッチ本体(16)を押してオンオフの状態を切り換えるようにしてなる請求項１２に記載されるランプ装置。
【請求項１４】
前記電源ユニット(2)が内部に回路基板(14)を固定しており、この回路基板(14)の下面に前記スイッチ本体(16)を固定している請求項１３に記載されるランプ装置。
【請求項１５】
前記電源ユニット(2)が、前記上下台(17)のプッシュロッド(17A)をガイドするガイド筒(22A)を有し、このガイド筒(22A)に上下に移動できるようにプッシュロッド(17A)を挿入して上下台(17)を電源ユニット(2)の定位置に配置している請求項１３に記載されるランプ装置。
【請求項１６】
前記弾性体(18)が、前記プッシュロッド(17A)の上端を弾性的に下方に押圧してなる弾性プレートである請求項１３に記載されるランプ装置。
【請求項１７】
前記ランプシェード(3)が、上方に伸びる発光筒部(31A)及びこの発光筒部(31A)の下端に連結されて電源ユニット(2)の上部をカバーする電源カバー部(31B)からなるトップケース(31)と、このトップケース(31)の下端に連結してなる底ケース(32)とを有し、
前記トップケース(31)は、発光筒部(31A)と電源カバー部(31B)とが透光性のプラスチックで一体的に成形されると共に、互いに連結される電源カバー部(31B)と底ケース(32)は、発光筒部(31A)よりも大きな外形で中空状として、さらに、底ケース(32)の下端縁に電源ユニット(2)を連結しており、
前記ランプシェード(3)の発光筒部(31A)を電源ユニット(2)で垂直姿勢に自立させるようにしてなる請求項１２に記載されるランプ装置。
【請求項１８】
前記ランプシェード(3)の発光筒部(31A)の内側に、発光筒部(31A)を均一に発光させるライトガイドロッド(35)を配設している請求項１７に記載されるランプ装置。
【請求項１９】
前記電源ユニット(2)がランプシェード(3)に光を照射するランタン光源(11)と、電源ユニット(2)の底面(2A)を照射するライト光源(12)とを有する請求項１２に記載されるランプ装置。
【請求項２０】
前記電源ユニット(2)が、ランプ(1)の傾斜を検出する傾斜センサ(46)を備え、傾斜センサ(46)がランプ(1)の傾斜を検出してライト光源(12)を点灯する請求項１９に記載されるランプ装置。
【請求項２１】
前記電源ユニット(2)のスイッチ(15)が、ランタン光源(11)の点灯状態を制御する請求項１９に記載されるランプ装置。
【請求項２２】
前記電源ユニット(2)が、脱着自在にランプシェード(3)に連結されると共に、電池(13)が単３電池で、この電池(13)を前記電源ユニット(2)に脱着できるようにセットしてなる請求項１２に記載されるランプ装置。
【発明の詳細な説明】
【技術分野】
【０００１】
本発明は、載せ台等から外して非常灯等に使用できるランプと、充電台に載せて無接点で電池を充電しながら、充電台から外して非常灯等に使用できる充電電池を内蔵するランプ装置に関する。
【背景技術】
【０００２】
停電のときに本体から分離して非常灯に利用できるランプ装置は開発されている。（特許文献１参照）
特許文献１のランプ装置を図１に示す。このランプ装置は、商用電源で点灯される光源を有する本体９１に、携帯ライト９２を脱着できるように連結している。携帯ライト９２は、本体９１にセットして商用電源で充電される電池（図示せず）と、この電池で点灯される光源９３とを内蔵している。このランプ装置は、通常は携帯ライト９２を本体９１にセットして電池を充電し、停電のときには携帯ライト９２を本体９１から外してライトとして使用できる。
【先行技術文献】
【特許文献】
【０００３】
【特許文献１】特開平１１−２５０７０１号公報
【発明の概要】
【発明が解決しようとする課題】
【０００４】
図１のランプ装置は、本体９１と携帯ライト９２とを別々に製造するので、全体の構造が複雑になって製造コストが高くなる。また、停電時に携帯ライト９２を外して使用するので、便利に使用できない。それは、暗闇で携帯ライトを本体から外す必要があるからである。また、この構造は、携帯ライトと本体とを接点やコネクタで接続することから、経時的に発生する接触不良を皆無にできない。接触不良になると携帯ライトの電池が充電されなくなるので、停電する非常時に確実に点灯できない欠点がある。さらに、ランプ装置は、点滅スイッチをケースの表面に設けているので、スイッチによってデザインに制約を受ける。
【０００５】
本発明は、以上のライトが有する欠点を解決することを目的に開発されたものである。本発明の重要な目的は、停電して暗闇となった状態で便利に使用できると共に、スイッチによるデザインの制約がなく、また、スイッチを設けることでランプシェードにリード線などの陰影が起こらないランプ及びランプ装置を提供することにある。
さらに、本発明の他の大切な目的は、充電台に載せて内蔵する電池を充電する構造としながら、接触不良を解消して常に電池を充電して非常時には確実に点灯できるランプ装置を提供することにある。
【課題を解決するための手段及び発明の効果】
【０００６】
本発明のランプは、光源１０を内蔵しているランプであって、電源ユニット２と、この電源ユニット２に連結してなるランプシェード３とを備えている。電源ユニット２は、光源１０と、この光源１０に接続されて点灯する電池１３と、光源１０の点滅を制御するスイッチ１５とを備えている。電源ユニット２は、スイッチ１５を底面２Ａに配置しており、ランプが押されてスイッチ１５がオンオフに制御されて光源１０の点灯状態をコントロールしている。
【０００７】
以上のランプは、スイッチによるデザインの制約がなく、また、スイッチを設けることでランプシェードにリード線などの陰影が起こらず、ランプシェードを均一に発光できる特徴を実現する。それは、以上のランプが、ランプシェードに連結している電源ユニットの底部にスイッチを配置しており、ランプを下方に押してスイッチをオンオフに切り換えて光源の点灯を制御するからである。さらに、以上のランプは、停電して暗闇となった状態で、ランプを持って電池で光源を点灯してライトに使用して、便利に使用できる特徴もある。
【０００８】
本発明のランプは、スイッチ１５が、電源ユニット２の底部中央に上下に往復運動できるように配置されて、中心から上方に伸びるプッシュロッド１７Ａを有する上下台１７と、この上下台１７を弾性的に下方に押している弾性体１８と、プッシュロッド１７Ａの上方に配置してなるスイッチ本体１６とを備え、ランプが下方に押される状態で、プッシュロッド１７Ａがスイッチ本体１６を押してオンオフの状態を切り換えることができる。
以上のランプは、スイッチ本体を電源ユニットの内部に配置しながら、ランプを下方に押して、電源ユニットの底部に配置した上下台でスイッチをオンオフに切り換えできる。
【０００９】
本発明のランプは、電源ユニット２の内部に回路基板１４を固定して、この回路基板１４の下面にスイッチ本体１６を固定することができる。
以上のランプは、スイッチ本体を電源ユニットに内蔵している回路基板に固定して、上下台でオンオフに切り換えできる。
【００１０】
本発明のランプは、電源ユニット２が、上下台１７のプッシュロッド１７Ａをガイドするガイド筒２２Ａを備えて、このガイド筒２２Ａに上下に移動できるようにプッシュロッド１７Ａを挿入して上下台１７を電源ユニット２の定位置に配置することができる。
以上のランプは、上下台のプッシュロッドをガイド筒で上下に案内することで、上下台を所定に位置に配置しながら、上下に往復運動できるように電源ユニットに連結できる。
【００１１】
本発明のランプは、弾性体１８を、プッシュロッド１７Ａの上端を弾性的に下方に押圧してなる弾性プレートとすることができる。
以上のランプは、弾性体の構造を簡単にしながら、電源ユニットの狭い領域に配置して、上下台を下方に押圧して、ランプの重量を支えることができる。
【００１２】
本発明のランプは、ランプシェード３が、上方に伸びる発光筒部３１Ａ及びこの発光筒部３１Ａの下端に連結されて電源ユニット２の上部をカバーする電源カバー部３１Ｂからなるトップケース３１と、このトップケース３１の下端に連結してなる底ケース３２とを有し、トップケース３１は、発光筒部３１Ａと電源カバー部３１Ｂとを透光性のプラスチックで一体的に成形すると共に、互いに連結される電源カバー部３１Ｂと底ケース３２を、発光筒部３１Ａよりも大きな外形で中空状として、底ケース３２の下端縁に電源ユニット２を連結して、ランプシェード３の発光筒部３１Ａを電源ユニット２で垂直姿勢に自立させることができる。
以上のランプは、ランプシェードの発光筒部を垂直姿勢に自立して、これを均一に発光できる特徴がある。とくに、発光筒部の上端を押してスイッチをオンオフに切り換えできるにも関わらず、スイッチを発光筒部の上端には配置しないので、スイッチに接続するリード線などが発光筒部に陰影を生じることがなく、発光筒部を均一に綺麗に発光できる。
【００１３】
さらに、本発明のランプは、ランプシェード３の発光筒部３１Ａの内側に、発光筒部３１Ａを均一に発光させるライトガイドロッド３５を配設することができる。
このランプは、電源ユニットに内蔵する光源で発光筒部をより均一に発光できる特徴がある。
【００１４】
本発明のランプは、電源ユニット２が、ランプシェード３に光を照射するランタン光源１１と、電源ユニット２の底面２Ａを照射するライト光源１２とを有することができる。
以上のランプは、載せ台等に載せてランタンに使用でき、また停電などの非常時には、載せ台等から外してライトにも使用できる。
【００１５】
本発明のランプは、電源ユニット２が、ランプの傾斜を検出する傾斜センサ４６を備え、傾斜センサ４６がランプの傾斜を検出してライト光源１２を点灯することができる。
このランプは、ランプの傾斜を検出してライト光源を点灯するので、ランプを載せ台等から外して傾斜させることでライトとして使用できる。
【００１６】
本発明のランプは、電源ユニット２のスイッチ１５が、ランタン光源１１の点灯状態を制御することができる。
このランプは、スイッチでライト光源を点滅させるので、ランプを載せ台等の上に置く状態で、ランプを押してライト光源を点灯し、あるいは消灯できる。
【００１７】
本発明のランプは、電源ユニット２を脱着自在にランプシェード３に連結すると共に、電池１３を単３電池として、この電池１３を電源ユニット２に脱着できるようにセットすることができる。
このランプは、電源ユニットをランプシェードから取り外して、内蔵する電池を簡単に交換できる。
【００１８】
本発明のランプ装置は、光源１０を内蔵するランプ１と、このランプ１の充電台５とを備えている。ランプ１は、電源ユニット２とこの電源ユニット２に連結してなるランプシェード３とを備えている。電源ユニット２は、光源１０と、この光源１０に接続されて点灯する充電できる電池１３と、この電池１３を充電する充電回路４１と、この充電回路４１に電力を供給する受電コイル４２と、光源１０の点滅を制御するスイッチ１５とを備えている。充電台５は、ランプ１の受電コイル４２に電磁結合されて受電コイル４２に電力搬送する送電コイル５２と、この送電コイル５２に交流を出力する電源回路５１とを内蔵している。電源ユニット２は、スイッチ１５を底面２Ａに配置しており、ランプ１が押されてスイッチ１５がオンオフに制御されて光源１０の点灯状態をコントロールしている。
【００１９】
以上のランプ装置は、停電して暗闇となった状態で便利に使用できる特徴がある。それは、従来の携帯ライトのように暗闇で携帯ライトを分離することなく、ランプを持って電池で光源を点灯してライトに使用できるからである。また、常に電池を充電して非常時には確実に点灯できる特徴も実現する。それは、ランプを充電台に置く状態で、送電コイルから受電コイルに無接点で電力搬送して電池を充電するからである。非常灯に使用されるランプは、このことが特に大切である。それは、非常時に確実に点灯できる特性が要求されるからである。さらに、以上のランプ装置は、スイッチによるデザインの制約がなく、また、スイッチを設けることでランプシェードにリード線などの陰影が起こらず、ランプシェードを均一に発光できる特徴も実現する。それは、以上のランプ装置が、ランプシェードに連結している電源ユニットの底部にスイッチを配置しており、ランプを下方に押してスイッチをオンオフに切り換えて光源の点灯を制御するからである。
【００２０】
本発明のランプ装置は、スイッチ１５が、電源ユニット２の底部中央に上下に往復運動できるように配置されて、中心から上方に伸びるプッシュロッド１７Ａを有する上下台１７と、この上下台１７を弾性的に下方に押している弾性体１８と、プッシュロッド１７Ａの上方に配置してなるスイッチ本体１６とを備え、ランプ１が下方に押される状態で、プッシュロッド１７Ａがスイッチ本体１６を押してオンオフの状態を切り換えることができる。
以上のランプ装置は、スイッチ本体を電源ユニットの内部に配置しながら、ランプを下方に押して、電源ユニットの底部に配置した上下台でスイッチをオンオフに切り換えできる。
【００２１】
本発明のランプ装置は、電源ユニット２の内部に回路基板１４を固定して、この回路基板１４の下面にスイッチ本体１６を固定することができる。
以上のランプ装置は、スイッチ本体を電源ユニットに内蔵している回路基板に固定して、上下台でオンオフに切り換えできる。
【００２２】
本発明のランプ装置は、電源ユニット２が、上下台１７のプッシュロッド１７Ａをガイドするガイド筒２２Ａを備えて、このガイド筒２２Ａに上下に移動できるようにプッシュロッド１７Ａを挿入して上下台１７を電源ユニット２の定位置に配置することができる。
以上のランプ装置は、上下台のプッシュロッドをガイド筒で上下に案内することで、上下台を所定に位置に配置しながら、上下に往復運動できるように電源ユニットに連結できる。
【００２３】
本発明のランプ装置は、弾性体１８を、プッシュロッド１７Ａの上端を弾性的に下方に押圧してなる弾性プレートとすることができる。
以上のランプ装置は、弾性体の構造を簡単にしながら、電源ユニットの狭い領域に配置して、上下台を下方に押圧して、ランプの重量を支えることができる。
【００２４】
本発明のランプ装置は、ランプシェード３が、上方に伸びる発光筒部３１Ａ及びこの発光筒部３１Ａの下端に連結されて電源ユニット２の上部をカバーする電源カバー部３１Ｂからなるトップケース３１と、このトップケース３１の下端に連結してなる底ケース３２とを有し、トップケース３１は、発光筒部３１Ａと電源カバー部３１Ｂとを透光性のプラスチックで一体的に成形すると共に、互いに連結される電源カバー部３１Ｂと底ケース３２を、発光筒部３１Ａよりも大きな外形で中空状として、底ケース３２の下端縁に電源ユニット２を連結して、ランプシェード３の発光筒部３１Ａを電源ユニット２で垂直姿勢に自立させることができる。
以上のランプ装置は、ランプシェードの発光筒部を垂直姿勢に自立して、これを均一に発光できる特徴がある。とくに、発光筒部の上端を押してスイッチをオンオフに切り換えできるにも関わらず、スイッチを発光筒部の上端には配置しないので、スイッチに接続するリード線などが発光筒部に陰影を生じることがなく、発光筒部を均一に綺麗に発光できる。
【００２５】
さらに、本発明のランプ装置は、ランプシェード３の発光筒部３１Ａの内側に、発光筒部３１Ａを均一に発光させるライトガイドロッド３５を配設することができる。
このランプ装置は、電源ユニットに内蔵する光源で発光筒部をより均一に発光できる特徴がある。
【００２６】
本発明のランプ装置は、電源ユニット２が、ランプシェード３に光を照射するランタン光源１１と、電源ユニット２の底面２Ａを照射するライト光源１２とを有することができる。
以上のランプ装置は、充電台に載せてランタンに使用でき、また停電などの非常時には、充電台から外してライトにも使用できる。
【００２７】
本発明のランプ装置は、電源ユニット２が、ランプ１の傾斜を検出する傾斜センサ４６を備え、傾斜センサ４６がランプ１の傾斜を検出してライト光源１２を点灯することができる。
このランプ装置は、ランプの傾斜を検出してライト光源を点灯するので、ランプを充電台から外して傾斜させることでライトとして使用できる。
【００２８】
本発明のランプ装置は、電源ユニット２のスイッチ１５が、ランタン光源１１の点灯状態を制御することができる。
このランプ装置は、スイッチでライト光源を点滅させるので、ランプを充電台の上に置く状態で、ランプを押してライト光源を点灯し、あるいは消灯できる。
【００２９】
本発明のランプ装置は、電源ユニット２を脱着自在にランプシェード３に連結すると共に、電池１３を単３電池として、この電池１３を電源ユニット２に脱着できるようにセットすることができる。
このランプ装置は、電源ユニットを充電できる電池の充電器に併用できる。それは、電源ユニットに電池を入れて充電して、これを電源ユニットから取り出して使用できるからである。
【図面の簡単な説明】
【００３０】
【図１】従来のランプ装置の斜視図である。
【図２】本発明のランプ装置の斜視図である。
【図３】図２に示すランプ装置の垂直断面図である。
【図４】図２に示すランプ装置のランプを充電台から外した分解斜視図である。
【図５】図４に示すランプの底面斜視図である。
【図６】図４に示すランプの分解斜視図である。
【図７】ランプシェードに電源ユニットを脱着する状態を示す底面斜視図である。
【図８】図２に示すランプの拡大断面図であって、図５及び図１０のＡ−Ａ線断面に相当する図である。
【図９】図５及び図１０のＢ−Ｂ線断面に相当する拡大断面図である。
【図１０】図６に示す電源ユニットの分解斜視図である。
【図１１】図１０に示す電源ユニットの底面斜視図である。
【図１２】本発明の一実施例にかかるランプ装置のブロック回路図である。
【図１３】本発明の一実施例にかかるランプ装置の使用例を示す斜視図である。
【発明を実施するための形態】
【００３１】
以下、本発明の実施例を図面に基づいて説明する。ただし、以下に示す実施例は、本発明の技術思想を具体化するためのランプ及びランプ装置を例示するものであって、本発明はランプ及びランプ装置を以下のものに特定しない。
【００３２】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００３３】
以下、本発明のランプ及びランプ装置のランプとして、充電台で充電される電池を内蔵している充電式のランプについて詳述する。ただ、本発明のランプは、充電できない電池を内蔵して使用することもでき、あるいは、充電台で充電されない非充電式のランプとすることもできる。これらのランプは、内蔵する電池を交換して使用される。このランプは、充電台を必要としないので、水平な台の上に配置し、あるいは専用の載せ台（図示せず）の上に配置して使用することができる。
【００３４】
図２ないし図１２に示すランプ装置は、光源１０を内蔵するランプ１と、このランプ１を脱着できるように載せている充電台５とを備える。
【００３５】
ランプ１は、電源ユニット２とこの電源ユニット２に連結してなるランプシェード３とを備える。電源ユニット２は、光源１０と、この光源１０を点灯する充電できる電池１３と、この電池１３を充電する充電回路４１と、この充電回路４１に電力を供給する受電コイル４２と、光源１０の点滅を制御するスイッチ１５とを備えている。
【００３６】
光源１０は、ランプシェード３に光を照射するランタン光源１１と、電源ユニット２の底面２Ａを照射するライト光源１２とを有する。ランタン光源１１は、ランプをランタンとして使用するときに点灯される。したがって、ランタン光源１１は、ランプ１を充電台５に載せる状態で点灯される。ライト光源１２は、図１３に示すように、ランプ１を充電台５から外した状態でライトとして使用されるときに点灯される。
【００３７】
電池１３は、充電できる電池であって、ニッケル水素電池、ニッケルカドミウム電池、リチウムイオン電池のいずれか、あるいは充電できる全ての電池を使用できる。図の電源ユニット２は、ニッケル水素電池の単３電池を使用している。単３電池のニッケル水素電池は、脱着できるように電源ユニット２にセットしている。この構造は、単３電池のニッケル水素電池を電源ユニット２にセットして充電できるので、電源ユニット２を単３電池の充電器に併用できる。ただ、電池は、電源ユニットに外れないように固定することもできる。固定される電池は、リチウムイオン電池、ニッケル水素電池、ニッケルカドミウム電池とすることができる。
【００３８】
スイッチ１５は、電源ユニット２の底面２Ａに配置されて、ランプ１が押されてオンオフに切り換えられる。スイッチ１５は、ランプ１を押してオンオフに切り換えられて、光源１０の点灯状態を制御する。スイッチ１５は、ランプ１を押した状態でオン、押さない状態でオフに切り換えられる。このスイッチ１５からのオン信号で、ランタン光源１１の点滅が制御される。たとえば、オン信号が入力される毎に、ランタン光源１１を点灯状態と消灯状態とに切り換える。また、スイッチ１５からオン信号が入力される毎に、ランタン光源１１の明るさを変更することもできる。さらにまた、スイッチ１５からのオン信号が入力される毎に、ランタン光源１１の点灯、点滅、消灯等を繰り返すように制御することもできる。さらに、発光色が異なる複数のランタン光源１１を有するランプにあっては、オン信号が入力される毎に、点灯状態と発光色を変更することもできる。スイッチ１５からのオン信号でランタン光源１１の点灯を制御する制御回路４３は、電源ユニット２に内蔵している回路基板１４に実装される。
【００３９】
図８と図９に示す電源ユニット２のスイッチ１５は、電源ユニット２の底部中央に上下に往復運動できるように配置され、かつ中心から上方に伸びるプッシュロッド１７Ａを有する上下台１７と、この上下台１７を弾性的に下方に押圧している弾性体１８と、プッシュロッド１７Ａの上方に配置しているスイッチ本体１６とを備える。このスイッチ１５は、ランプ１が下方に押されると、プッシュロッド１７Ａがスイッチ本体１６を押してオンオフに切り換える。
【００４０】
さらに、図８と図９の電源ユニット２は、内部に固定している回路基板１４の下面にスイッチ本体１６を固定している。このスイッチ本体１６は、ランプ１が下に押されると、上下台１７のプッシュロッド１７Ａに押されてオン信号を出力する。さらに、図の電源ユニット２は、上下台１７のプッシュロッド１７Ａをガイドするガイド筒２２Ａをベースフレーム２２に設けている。このガイド筒２２Ａに上下に移動できるようにプッシュロッド１７Ａを挿入して、上下台１７を電源ユニット２の定位置に配置している。
【００４１】
スイッチ１５の上下台１７は、プラスチックでもって、底プレート１７Ｂにプッシュロッド１７Ａを一体的に成形した形状に成形している。底プレート１７Ｂは、電源ユニット２の外装ケース２０の下面の湾曲面に沿う形状に成形されて、外装ケース２０の中心に設けたスイッチ穴２０Ａを閉塞する形状としている。さらに底プレート１７Ｂは、図８と図９の断面図に示すように、その開口縁に沿って周壁１７ａを設けている。周壁１７ａは上端縁に沿って外側に突出する係止凸条１７ｂを設けている。係止凸条１７ｂは、外装ケース２０のスイッチ穴２０Ａの内面に係止されて、底プレート１７Ｂが外装ケース２０から突出するのを防止する。すなわち、弾性体１８で弾性的に押される上下台１７の底プレート１７Ｂの下面を、外装ケース２０の湾曲面に配置する。
【００４２】
弾性体１８は、プッシュロッド１７Ａの上端を弾性的に下方に押圧している弾性プレートである。弾性プレートは、一端を電源ユニット２に内蔵しているベースフレーム２２にネジ止めして、他端をベースフレーム２２に設けて係止凹部２２Ｄに挿入している。係止凹部２２Ｄは、弾性プレートを長手方向には移動させるが、図において上下方向には移動しないように保持する。弾性プレートの弾性体１８は、ランプ１を上から押さない状態、すなわち、ランプ１を充電台５に載せる状態で、上下台１７を下方に弾性的に押して、スイッチ本体１６をオフ状態に保持する。ランプ１が上から下に押されると、弾性プレートが変形して、上下台１７のプッシュロッド１７Ａがスイッチ本体１６を押してオン状態となる。したがって、この弾性プレートからなる弾性体１８は、ランプ１を充電台５に載せる状態で、プッシュロッド１７Ａがスイッチ本体１６を押さない状態、いいかえるとスイッチ本体１６をオフ状態に保持する弾性力としている。
【００４３】
以上の電源ユニット２は、図７に示すように、ランプシェード３の下端に、脱着自在に連結できる脱着連結構造としている。電源ユニット２とランプシェード３の脱着連結構造は、外装ケース２０の周壁２０Ｄに設けた脱着凸部２０ａとランプシェード３の下端の開口部３３の内壁３２Ａに設けた脱着係止溝３４で実現される。脱着係止溝３４は、図７において下方に開口している案内溝部３４ａと、この案内溝部３４ａに連結されて、電源ユニット２の回転方向に伸びる係止部３４ｂとからなる。この脱着連結構造は、外装ケース２０の周壁２０Ｄに設けている脱着凸部２０ａを案内溝部３４ａから係止部３４ｂに案内して、電源ユニット２をランプシェード３に脱着自在に連結する。電源ユニット２は、脱着凸部２０ａを、ランプシェード３の案内溝部３４ａに案内するように、ランプシェード３の下端の開口部３３に挿入し、この状態で電源ユニット２を回転して、脱着凸部２０ａを係止部３４ｂに入れて、外れないように連結できる。この脱着連結構造は、係止凸部２０ａと脱着係止溝３４とを、２カ所に、あるいは複数カ所に均等に設けて、電源ユニット２をランプシェード３に確実に連結できる。この電源ユニット２は、ランプ１から簡単に取り外して、内蔵する電池１３を交換し、あるいはメンテナンスできる。このように、ランプシェード３に脱着できる電源ユニット２は、ランプシェード３から外して単３電池を脱着して充電器に併用できる。充電器に併用されない電源ユニットは、ランプシェードに固定することができる。
【００４４】
電源ユニット２の分解斜視図を図１０と図１１に示している。この電源ユニット２は、平面形状を円形として、底面２Ａを湾曲面としている。この電源ユニット２は、下から順番に、下面を中央凸の湾曲面としている外装ケース２０と、外装ケース２０の上の積層している透光性のプラスチックからなるクリアプレート２１と、このクリアプレート２１の上に配置しているベースフレーム２２と、このベースフレーム２２の中心に設けた凹部２２Ｃに配置している受電コイル４２と、ベースフレーム２２の上に配置している回路基板１４と、この回路基板１４の上に配置している透光性の電池ホルダー２３と、この電池ホルダー２３をカバーしているカバーキャップ２４とを備える。外装ケース２０とクリアプレート２１とベースフレーム２２と電池ホルダー２３とカバーキャップ２４は、プラスチックを成形して製作している。
【００４５】
外装ケース２０は、下面を湾曲面に成形して、中心にはスイッチ１５の上下台１７を配置する貫通孔であるスイッチ穴２０Ａを開口して設けている。スイッチ穴２０Ａは、図８と図９に示すように、上下台１７の底プレート１７Ｂで閉塞される。したがって、スイッチ穴２０Ａの内形は、上下台１７の底プレート１７Ｂの外形にほぼ等しく、正確にはわずかに大きくしている。外装ケース２０のスイッチ穴２０Ａの内側とベースフレーム２２との間には、弾性的に変形するリング状のシール材２５を配置している。シール材２５は、ベースフレーム２２の下方突出部２２Ｘの外周面に設けた段差部２２Ｅに配置している。外装ケース２０は、スイッチ穴２０Ａの開口縁部であって、ベースフレーム２２の段差部２２Ｅと対向する位置に、リング凸条２０Ｅを設けている。リング凸条２０Ｅは、その先端縁をシール材２５の表面に密着させて、外装ケース２０とベースフレーム２２との間をシールしている。さらに、上下台１７の底プレート１７Ｂとベースフレーム２２との間には、弾性的に変形するリング状のシール材２６を配置している。底プレート１７Ｂは、シール材２６との対向面にリング凸条１７ｃを設けている。リング凸条１７ｃは、その先端縁をシール材２６の表面に密着して、底プレート１７Ｂとベースフレーム２２との間をシールしている。上下台１７が押し込まれるとき、シール材２６は押し潰される方向に弾性変形する。以上の構造は、外装ケース２０のリング凸条２０Ｅをシール材２５の表面に密着させると共に、底プレート１７Ｂのリング凸条１７ｃをシール材２６の表面に密着させることで、外装ケース２０のスイッチ穴２０Ａからの水の侵入を防止できる。
【００４６】
さらに、外装ケース２０は、ライト光源１２の光を照射するためのランプ穴２０Ｂを貫通して設けている。図１０と図１１の外装ケース２０は、４個のランプ穴２０Ｂを均等な間隔でスイッチ穴２０Ａの外側に設けている。さらに、図１１の外装ケース２０は、ランプ穴２０Ｂの間に凹部２０Ｃを設けている。
【００４７】
さらに、外装ケース２０は、外周縁に設けた周壁２０Ｄの上端に前述の脱着凸部２０ａを設けると共に、周壁２０Ｄの外周面に沿ってリング溝２０Ｆを設けている。外装ケース２０は、このリング溝２０Ｆに配置したＯリング２７を介してランプシェード３の下端の開口部３３に連結している。Ｏリング２７は、図８と図９に示すように、ランプシェード３の開口部３３に設けた内壁３２Ａの内面に密着して、外装ケース２０とランプシェード３とを水密に連結している。この構造は、電源ユニット２とランプシェード３を防水構造としながら脱着できる。
【００４８】
クリアプレート２１は、透明のプラスチックをリング状に成形したもので、外装ケース２０のランプ穴２０Ｂに挿入される凸部２１Ｂを設けている。凸部２１Ｂはランプ穴２０Ｂに挿入されて、その表面を外装ケース２０の湾曲面と同一面としている。凸部２１Ｂの外側とランプ穴２０Ｂとの間にはＯリング２８を入れて、水密構造としている。さらに、クリアプレート２１は、凸部２１Ｂの内側を凹部２１Ｃとしており、この凹部２１Ｃの内面に沿う光源ホルダー２９を介して、その上にベースフレーム２２を固定している。この光源ホルダー２９は、中心に貫通孔２９Ａを開口しており、この貫通孔２９Ａに、回路基板１４の下面に設けたＬＥＤ等のライト光源１２を挿通して、ライト光源を位置決めしながら下方に配置している。図９に示す光源ホルダー２９は、下面を湾曲する凹面状とすると共に、この面を反射面として、ライト光源１２から照射される光を効果的に下方に照射できるようにしている。リング状のクリアプレート２１は、外形を外装ケース２０の周壁２０Ｄの内形にほぼ等しくすると共に、内形をベースフレーム２２に設けた下方突出部２２Ｘを挿入できる形状としている。
【００４９】
ベースフレーム２２は、中央部分に、受電コイル４２を収納する凹部２２Ｃを設けるための下方突出部２２Ｘを設けている。この下方突出部２２Ｘの底面は、図８と図９の断面図に示すように、スイッチ１５を構成する上下台１７の底プレート１７Ｂに接近する。ここに配設される受電コイル４２を充電台５の送電コイル５２に接近させるためである。この下方突出部２２Ｘと底プレート１７Ｂとの間に、弾性変形するシール材２６を配置している。さらに、下方突出部２２Ｘの中心には、上下台１７のプッシュロッド１７Ａを案内するガイド筒２２Ａを一体的に成形して設けている。ガイド筒２２Ａは、上下台１７のプッシュロッド１７Ａを上下に移動できるように、その内形をプッシュロッド１７Ａの外形よりもわずかに大きくしている。さらに、ベースフレーム２２は、ライト光源１２の光を透過させる４個の光透過穴２２Ｂを設けている。光透過穴２２Ｂは、外装ケース２０のランプ穴２０Ｂの上方に位置して、すなわち、クリアプレート２１の凸部２１Ｂの内側に配置される光源ホルダー２９の貫通孔２９Ａに対向して設けられる。
【００５０】
さらに、このベースフレーム２２は、スイッチ１５の弾性体１８を連結している。弾性体１８は弾性プレートで、その一端をベースフレーム２２に止ネジ４８Ａで固定して、他端をベースフレーム２２に設けた係止凹部２２Ｄに挿入している。係止凹部２２Ｄは横方向、すなわち弾性プレートの長手方向に開口されて、弾性プレートの先端を長手方向に移動できるように挿入している。以上のベースフレーム２２は、止ネジ４８を介して外装ケース２０に固定される。この止ネジ４８は、ベースフレーム２２とクリアプレート２１を貫通して外装ケース２０にねじ込まれて、ベースフレーム２２と外装ケース２０とでクリアプレート２１を挟着する状態で固定している。
【００５１】
回路基板１４は、ベースフレーム２２の上面に固定される。この回路基板１４は、電池１３を充電する充電回路４１を実装し、さらに、図において下面にはスイッチ本体１６とライト光源１２を、上面にはランタン光源１１を固定している。ライト光源１２は、外装ケース２０のランプ穴２０Ｂの上方に位置して回路基板１４に固定している。ライト光源１２とランタン光源１１は、発光ダイオードである。発光ダイオードからなる光源１０は、少ない消費電力で明るく照射できる。ただ、ライト光源とランタン光源には、発光ダイオードに代わって電球も使用できる。スイッチ本体１６は、回路基板１４の中心であって、スイッチ１５のプッシュロッド１７Ａで押される位置に、正確には弾性プレートを介してプッシュロッド１７Ａに押される位置に固定している。
【００５２】
図１０の回路基板１４は、上面の中心部と外周部に複数のランタン光源１１を固定している。中心部のランタン光源１１は、サブ基板４４と固定台４５を介して回路基板１４に固定している。固定台４５は、中心部のランタン光源１１を回路基板１４から上方に配置して固定している。図のライト１は、中心部のランタン光源１１の上にライトガイドロッド３５を配置して、ライトガイドロッド３５を介してランプシェード３の発光筒部３１Ａを均一に発光させる。サブ基板４４は、中心にメインランタン光源１１Ａを配置すると共に、このメインランタン光源１１Ａの周囲に４つのサブランタン光源１１Ｂを配置している。これらのサブランタン光源１１Ｂは、発光筒部３１Ａの全体を発光させるのではなく、発光筒部３１Ａと電源カバー部３１Ｂとの境界領域あたりを発光させることができる。例えば、サブランタン光源１１Ｂとして、２個の青色ＬＥＤと２個の緑色ＬＥＤを対角線上に配置することにより、これら４個のサブランタン光源１１Ｂを発光させて、水色に近い光を発光させることができる。さらに、図の回路基板１４は、外周部に、４つの外周ランタン光源１１Ｃを等間隔に配置している。外周ランタン光源１１Ｃは、電源ホルダー２３とカバーキャップ２４を透過してランプシェード３を発光させる。図のランプは、中心部と外周部にランタン光源１１を配置しているが、ランタン光源は回路基板に中心部にのみ配置して、たとえば、サブ基板の中心にメインランタン光源のみを配置して、ライトガイドロッドを介してランプシェードの全体を均一に発光させることもできる。また、回路基板の外周部にのみランタン光源を配置することもできる。
【００５３】
回路基板１４に実装される充電回路４１は、図１２に示すように、受電コイル４２に接続されて、受電コイル４２から供給される電力で電池１３を充電する。この充電回路４１は、受電コイル４２に誘導される交流電力を整流して直流に変換して電池１３を充電する。充電回路４１は、電池１３が満充電されたことを検出して電池１３の充電を停止する。
【００５４】
さらに、回路基板１４は、スイッチ本体１６の信号でランタン光源１１の点灯状態を制御する制御回路４３も実装している。さらに、回路基板１４は、ランプ１の傾斜を検出する傾斜センサ４６も実装している。制御回路４３は、スイッチ本体１６から入力されるオンオフ信号と、傾斜センサ４６から入力させる傾斜信号でランタン光源１１とライト光源１２の点灯状態を制御する。制御回路４３は、スイッチ本体１６から入力されるオン信号でライト光源１２の点灯状態を制御し、傾斜センサ４６から入力される傾斜信号でライト光源１２の点灯を制御する。スイッチ本体１６は、ランプ１が押されるときにオン信号を出力する。制御回路４３は、このオン信号が入力される毎にランタン光源１１の点灯と消灯を繰り返すように制御し、あるいはオン信号が入力されるごとに、ランタン光源１１の点灯と消灯と発光色や発光強度を繰り返すように制御する。例えば、以下のように、上記のオン信号ごとに、点灯、消灯することができる。
中心１個のメインランタン光源１１Ａの強い点灯→中心１個のメインランタン光源１１Ａの弱い点灯→サブランタン光源１１Ｂの点灯→サブランタン光源１１Ｂの点滅→消灯
また、傾斜センサ４６から傾斜信号が入力されると、ランプ１が傾斜したとして、ライト光源１２を点灯する。
【００５５】
電池ホルダー２３は、回路基板１４の上面をカバーするように、外周に向かって次第に下り勾配が急峻になるカップ形状に透明のプラスチックを成形している。電池ホルダー２３は、上面に電池１３を定位置に嵌着する装着凹部２３Ａを設けている。装着凹部２３Ａには電池１３の端部電極に接触する接点４７を配置しており、この接点４７を回路基板１４に固定している。接点４７を装着凹部２３Ａに露出させるために、装着凹部２３Ａの両端部には、接点４７を配置する電極穴２３ａを設けている。単３電池である電池１３は、この電池ホルダー２３の装着凹部２３Ａに脱着できるようにセットしている。装着凹部２３Ａに脱着できるようにセットしている電池１３は、ここにセットして充電した後、取り出しできるので、電源ユニット２を単３電池の充電器に併用できる。ただし、充電器に併用しない電源ユニットは、電池を脱着しないように電池ホルダーに固定することもできる。
【００５６】
さらに、電池ホルダー２３は、回路基板１４から上方に突出するランタン光源１１を配置して、このランタン光源１１の光を、ランプシェード３の発光筒部３１Ａに配置されるライトガイドロッド３５に案内するために、上方に突出して光結合部２３Ｂを設けている。光結合部２３Ｂは、上面を湾曲する凹部２３ｂとして、この凹部２３ｂにライトガイドロッド３５の下端を配置している。この構造は、ライトガイドロッド３５を定位置に配置して、ランタン光源１１の光を効率よくライトガイドロッド３５に案内できる。電池ホルダー２３は、これを貫通する止ネジ４９を介して外装ケース２０に固定している。すなわち、この止ネジ４９は、電池ホルダー２３と回路基板１４とベースフレーム２２とを貫通して外装ケース２０にねじ込まれて、電池ホルダー２３と外装ケース２０とで回路基板１４とベースフレーム２２とを挟着する状態で固定している。
【００５７】
カバーキャップ２４は、透明のプラスチックを成形したもので、電池１３をセットしている電池ホルダー２３をカバーするカップ状に成形している。カバーキャップ２４は、例えば、透光性のある樹脂材料からなり、例えば、半透明の乳白色の樹脂材料が利用できる。これにより、内部部品を外側から見えにくくして、外観を向上している。カバーキャップ２４は、外周縁の下端に係止フック２４Ｂを設けて、この係止フック２４Ｂを介してベースフレーム２２に脱着自在に連結している。ベースフレーム２２は、係止フック２４Ｂを係止する係止部２２Ｆを設けている。図に示す係止部２２Ｆは貫通孔で、係止フック２４Ｂを挿入する状態で、開口縁部に係止フック２４Ｂを係止して脱着できる構造としている。このように、脱着できるカバーキャップ２４は、これを外して電池ホルダー２３に電池１３を脱着できる。このため、電源ユニット２を単３電池の充電器に併用する電源ユニット２は、カバーキャップ２４を脱着できる構造とする。ただし、充電器に併用しない電源ユニットは、カバーキャップを固定することもができる。
【００５８】
図８と図９のカバーキャップ２４は、ライトガイドロッド３５を挿入する貫通孔２４Ａを中心に設けている。貫通孔２４Ａのあるカバーキャップ２４は、ライトガイドロッド３５を貫通孔２４Ａに挿入して、その下端を電池ホルダー２３に設けた光結合部２３Ｂに連結する。したがって、このカバーキャップ２４は、透光性のないプラスチックで成形して、回路基板１４の中心部に設けたランタン光源１１の光をライトガイドロッド３５から外部に照射できる。したがって、回路基板の中心部にのみランタン光源を固定するランプは、カバーキャップを透光性のないプラスチックで成形することもできる。カバーキャップ２４の外周に複数のランタン光源１１を設けたランプは、電池ホルダー２３とカバーキャップ２４にランタン光源１１の光を透過させて、ランプシェード３を発光させる。
【００５９】
ランプシェード３は、トップケース３１の下端に底ケース３２を固定して、内部を中空状としている。トップケース３１は、垂直に伸びる発光筒部３１Ａの下端に電源カバー部３１Ｂを連結する形状に、透明のプラスチックを一体的に成形している。発光筒部３１Ａは細長い円筒状で、図１３に示すように、手で握ることができる外形としている。さらに、発光筒部３１Ａは、電源カバー部３１Ｂとの境界で連続的に外径を大きくする形状としている。電源カバー部３１Ｂは、下端に向かって次第に外径を大きくしており、電源ユニット２の上部をカバーできる形状としている。底ケース３２は、下端に向かって次第に外径を小さくする形状で、下端の中心には、電源ユニット２を連結する開口部３３を開口している。底ケース３２は、開口部３３の内壁３２Ａに脱着係止溝３４を設けており、この脱着係止溝３４に、外装ケース２０の周壁２０Ｄに設けた脱着凸部２０ａを案内して、電源ユニット２を脱着できるように連結している。ランプシェード３は、トップケース３１の下端縁に底ケース３２の上端縁を連結して固定している。このランプシェード３は、透光性のある樹脂材料からなり、例えば、半透明の乳白色の樹脂材料が利用できる。このランプシェード３は、全面を均一に発光させるために、外側表面又は内側表面、あるいは両面を微細な凹凸のある磨りガラス状に成形することもできる。
【００６０】
さらに、ランプシェード３は、図３に示すように、トップケース３１の発光筒部３１Ａの内部にライトガイドロッド３５を配置している。このライトガイドロッド３５は、ランプシェード３の発光筒部３１Ａを均一に発光させるために、発光筒部３１Ａの内部に挿入される。さらに、ライトガイドロッド３５は、その下端を、電源ユニット２に設けた光結合部２３Ｂの凹部２３ｂに配置している。ライトガイドロッド３５は、光を透過させるプラスチックやガラスからなる透光材を円柱状に成形したものである。ライトガイドロッド３５は、ランタン光源１１から下端に入射される光を、内面で全反射させながら上方にガイドし、さらにその表面から外部に放射して、ランプシェード３の発光筒部３１Ａを均等に発光させる。ライトガイドロッド３５は、内面で全反射しながら上方に案内される光を外部に放射するためにＶ溝３５ａ、３５ｂを設けている。Ｖ溝３５ａ、３５ｂは、ここに照射させる光を外部に放射する。図３と図６のライトガイドロッド３５は、リング状のＶ溝３５ａと、長手方向に伸びるＶ溝３５ｂとを設けている。リング状のＶ溝３５ａは、上端で間隔を狭くして、ライトガイドロッド３５の光を均一に発光するようにしている。
【００６１】
ライトガイドロッド３５は、図３に示すように、その上端をトップケース３１の発光筒部３１Ａの上端に止ネジ３７を介して固定している。トップケース３１は、発光筒部３１Ａの上端面の内側に、ライトガイドロッド３５を位置決めしながら固定するするガイド筒部３８を設けている。ガイド筒部３８の内形は、ライトガイドロッド３５の上端部の外形に等しく、ライトガイドロッド３５の上端部をガイド筒部３８に嵌入する状態で、発光筒部３１Ａの上面を貫通する止ネジ３７をライトガイドロッド３５の上端にねじ込んで、ライトガイドロッド３５を発光筒部３１Ａの中心に正確に配置している。ライトガイドロッド３５の下端は、電源ユニット２のカバーキャップ２４の貫通孔２４Ａに挿入されて、発光筒部３１Ａの中心に正確に配置される。この構造は、ライトガイドロッド３５を発光筒部３１Ａの中心に配置することで、発光筒部３１Ａの全周をより均一に発光できる。さらに、トップケース３１は、発光筒部３１Ａの上端面に円形凹部を設けて、この円形凹部の内側に固定円盤３６を嵌着して固定している。
【００６２】
充電台５は、ランプ１の受電コイル４２に電磁結合されて受電コイル４２に電力搬送する送電コイル５２とこの送電コイル５２に交流を出力する電源回路５１とを載台ケース５０に内蔵している。載台ケース５０は、全体の形状を所定の厚さの円盤状としている。充電台５は、電源ユニット２の外径よりも小さく、外装ケース２０の外径にほぼ等しい円形としている。
【００６３】
載台ケース５０は、下方を開口するようにプラスチックを成形している本体ケース５０Ａと、本体ケース５０Ａの開口部を閉塞するように固定している蓋ケース５０Ｂとからなる。本体ケース５０Ａは、ランプ１を自立して定位置に載せることができるように、上面の中央部に位置決め凹部５３を設けている。位置決め凹部５３は電源ユニット２の底面２Ａの湾曲面に沿う形状に成形している。
【００６４】
蓋ケース５０Ｂは、その上に回路基板５４を固定している。回路基板５４は、送電コイル５２を上面の中心に固定している。さらに、回路基板５４は、ＡＣアダプタから入力される直流、あるいは電源コンセントから入力される電力を、送電コイル５２に供給する交流に変換する電源回路５１を実装している。電源回路５１は、入力電力を所定の周波数、たとえば１０ｋＨｚ〜１ＭＨｚの交流に変換して送電コイル５２に出力する。送電コイル５２は平面コイルで、回路基板５４の上面に水平に固定している。送電コイル５２は、平面コイルの受電コイル４２に電磁結合されて、受電コイル４２に電力を搬送する。送電コイル５２と受電コイル４２とは互いに接近して平行に配設されて、効率よく電力を搬送できる。とくに、送電コイル５２と受電コイル４２は、その間隔を１ｃｍよりも狭くして、効率よく電力を搬送できる。
【符号の説明】
【００６５】
１…ランプ
２…電源ユニット            ２Ａ…底面
３…ランプシェード
５…充電台
１０…光源
１１…ランタン光源          １１Ａ…メインランタン光源
１１Ｂ…サブランタン光源
１１Ｃ…外周ランタン光源
１２…ライト光源
１３…電池
１４…回路基板
１５…スイッチ
１６…スイッチ本体
１７…上下台                １７Ａ…プッシュロッド
１７Ｂ…底プレート
１７ａ…周壁
１７ｂ…係止凸条
１７ｃ…リング凸条
１８…弾性体
２０…外装ケース            ２０Ａ…スイッチ穴
２０Ｂ…ランプ穴
２０Ｃ…凹部
２０Ｄ…周壁
２０Ｅ…リング凸条
２０Ｆ…リング溝
２０ａ…脱着凸部
２１…クリアプレート        ２１Ｂ…凸部
２１Ｃ…凹部
２２…ベースフレーム        ２２Ａ…ガイド筒
２２Ｂ…光透過穴
２２Ｃ…凹部
２２Ｄ…係止凹部
２２Ｅ…段差部
２２Ｆ…係止部
２２Ｘ…下方突出部
２３…電池ホルダー          ２３Ａ…装着凹部
２３ａ…電極穴
２３Ｂ…光結合部
２３ｂ…凹部
２４…カバーキャップ        ２４Ａ…貫通孔
２４Ｂ…係止フック
２５…シール材
２６…シール材
２７…Ｏリング
２８…Ｏリング
２９…光源ホルダー          ２９Ａ…貫通孔
３１…トップケース          ３１Ａ…発光筒部
３１Ｂ…電源カバー部
３２…底ケース              ３２Ａ…内壁
３３…開口部
３４…脱着係止溝            ３４ａ…案内溝部
３４ｂ…係止部
３５…ライトガイドロッド    ３５ａ…Ｖ溝
３５ｂ…Ｖ溝
３６…プレート
３７…止ネジ
３８…ガイド筒部
４１…充電回路
４２…受電コイル
４３…制御回路
４４…サブ基板
４５…固定台
４６…傾斜センサ
４７…接点
４８…止ネジ                ４８Ａ…止ネジ
４９…止ネジ
５０…載台ケース            ５０Ａ…本体ケース
５０Ｂ…蓋ケース
５１…電源回路
５２…送電コイル
５３…位置決め凹部
５４…回路基板
９１…本体
９２…携帯ライト
９３…光源
【図１】
2010177144.tif 000003
【図２】
2010177144.tif 000004
【図３】
2010177144.tif 000005
【図４】
2010177144.tif 000006
【図５】
2010177144.tif 000007
【図６】
2010177144.tif 000008
【図７】
2010177144.tif 000009
【図８】
2010177144.tif 000010
【図９】
2010177144.tif 000011
【図１０】
2010177144.tif 000012
【図１１】
2010177144.tif 000013
【図１２】
2010177144.tif 000014
【図１３】
2010177144.tif 000015